(57)【要約】      （修正有）【課題】注射針を装着したシリンジを用いて薬液を吸引した場合に、シリンジのノズルおよび吸引された薬液を清潔に保つために、キャップを装着した状態の注射針をシリンジ用キャップの代用として使用することがあり危険である。このため、適時に、かつ清潔にシリンジ用キャップを提供する。【解決手段】注射針用キャップであって、その先端部に注射器または体液採取器などのシリンジ用キャップ１を有する注射針用キャップを提供することによる。【選択図】図１
2008023145.tif 000002
【特許請求の範囲】
【請求項１】
注射針用キャップであって、その先端部に注射器または体液採取器などのシリンジ用キャップを有する注射針用キャップ。
【請求項２】
注射針用キャップのシリンジ用キャップ係合面が、シリンジ用キャップのノズル係合面に接する形状である請求項１に記載の注射針用キャップ。
【請求項３】
注射針用キャップのシリンジ用キャップ係合面が、シリンジ用キャップのノズル係合面の外側に接する形状である請求項１に記載の注射針用キャップ。
【請求項４】
注射針用キャップの先端にシリンジ用キャップが一体形成もしくは接着され、使用時に破断可能である請求項１に記載の注射針用キャップ。
【発明の詳細な説明】
【技術分野】
【０００１】
本発明は、注射針のキャップに関するものである。
【背景技術】
【０００２】
注射針、特に医療用注射針は特殊な場合を除き安全のためにキャップを装着した状態で医療現場に提供される。具体的にはキャップを装着した状態で一組ごとに封入滅菌されているか、もしくはシリンジに既に接続された状態いわゆる針付き注射用シリンジとしてやはりキャップを装着した状態で一組ごとに滅菌封入されている。  
【０００３】
医療の臨床現場において、アンプルからシリンジに薬液を吸引する場合、注射針をシリンジに装着して薬液をシリンジ内に吸引することが通常である。
【０００４】
この作業は雑菌の混入が許されない清潔操作である。また、アンプルの切断面、注射針などの鋭利で危険な物品を扱う。このため患者の眼前にて作業が行われることは少なく、直前もしくは数分前に特定の場所で医師もしくは看護師によって行われる。
【０００５】
そして、この後、滅菌状態を使用時まで保つためにシリンジにキャップを装着する必要がある。
【０００６】
このとき、注射針をシリンジに装着したままの状態で注射針に再度キャップをはめることにより、これをシリンジのキャップの代用とすることが通常行われている。つまり、キャップを装着した状態の注射針をシリンジのキャップとして代用することが通常行われている。
【０００７】
患者に輸液を投与する際に輸液容器内に充填された輸液に様々な薬剤を配合注入する場合、もしくは患者の静脈内に直接薬液を静脈内注射により投与する場合などは、シリンジに注射針を装着した状態であることが必要であるため、キャップを装着した状態の注射針をシリンジのキャップとして代用することが理にかなっている。
【０００８】
これに対し、輸液容器と患者の静脈留置針とをつなぐ輸液ラインの途中から三方活栓などを通じて患者の静脈内に薬液を投与する場合、キャップを装着した状態の注射針をシリンジのキャップとして代用する必要性は少ない。
【０００９】
入院患者の場合、輸液ラインの途中から三方活栓などを通じて患者の静脈内に薬液を投与する場合が頻度として多い。このときにキャップを装着した状態の注射針をシリンジのキャップとして代用した場合、以下の不都合が生じる。
【００１０】
（１）誤ってシリンジの押し子を押してしまい、薬液が注射針より押し出され注射針用キャップ内に薬液が流出する可能性がある。
【００１１】
（２）ベッドサイドでキャップを紛失し、注射針をキャップなしで操作しなければならなくなる可能性がある。
【００１２】
（３）ベッドサイドでキャップを装着した状態の注射針を薬液投与の際にシリンジからはずし、薬液投与中にキャップを装着した状態の注射針を紛失する可能性がある。
【００１３】
（４）ベッドサイドでキャップを装着した状態の注射針を薬液投与の際にシリンジからはずす際に、誤ってキャップのみが注射針からはずれ、注射針を装着した状態のシリンジをベッドサイドで扱わなくてはならなくなる可能性がある。
【００１４】
（１）が起こった場合、薬液の投与量が不正確になる。また、麻薬を扱う場合に（１）が起こった場合、法律に則り適正に処理するため多くの手間と時間を要する。
【００１５】
過去の医療事故の事例で、上記（４）の状態となり、看護師が注射針を装着した状態のシリンジを患者の眼球に落下させ、失明に至らしめた事例が存在する。
【００１６】
このような不都合を防止するため、医療機関によっては、シリンジ内に薬液を吸引した後に注射針をはずし、シリンジ用キャップを装着するか、もしくは先端にキャップを装着した短いチューブなどの代用品を用いてシリンジに装着するなどの方法をとることによりシリンジの先端を清潔に保つなどの工夫が行われる場合もある。
【００１７】
このように既存の製品では安全を保つためシリンジ用キャップもしくはその代用品を別個に用意する必要があった。
【００１８】
また、シリンジ用キャップとして別個の製品を必要とするため、これを購入する費用が別に必要となる。
【００１９】
また、シリンジ用キャップとして別個の製品を用意し、開封するため、手間と時間が余分にかかる。
【非特許文献１】読売新聞  ２００２年１２月２０日  読売新聞社
【発明の開示】
【発明が解決しようとする課題】
【００２０】
注射針を装着したシリンジを用いて薬液を吸引した場合に、シリンジのノズルおよび吸引された薬液を清潔に保つために、キャップを装着した状態の注射針をシリンジ用キャップの代用として使用することがあり危険である。このため、適時に、かつ清潔にシリンジ用キャップを提供する方法が求められる。
【課題を解決するための手段】
【００２１】
このような目的は下記（１)〜（４）の本発明により達成される。
【００２２】
（１）注射針用キャップであって、その先端部に注射器または体液採取器などのシリンジ用キャップを有する注射針用キャップ。
【００２３】
（２）注射針用キャップのシリンジ用キャップ係合面が、シリンジ用キャップのノズル係合面に接する形状である（１）に記載の注射針用キャップ。
【００２４】
（３）注射針用キャップのシリンジ用キャップ係合面が、シリンジ用キャップのノズル係合面の外側に接する形状である（１）に記載の注射針用キャップ。
【００２５】
（４）注射針用キャップの先端にシリンジ用キャップが一体形成もしくは接着され、使用時に破断可能である（１）に記載の注射針用キャップ。  
【発明の効果】
【００２６】
本発明によれば、注射針用キャップの先端にシリンジ用キャップを有しており、注射針を装着したシリンジを用いてアンプルなどから薬液を吸引した後に、このシリンジ用キャップを使用することにより迅速にシリンジにキャップを装着し清潔に封をすることができる。
【発明を実施するための最良の形態】
【００２７】
注射針用キャップの先端にシリンジ用キャップを有する状態で、注射針用キャップとして使用した場合の利便性を損なうことなく、かつシリンジ用キャップのノズル係合面を使用時まで清潔に保持するという目的を単純な構造で実現した。
【実施例１】
【００２８】
本発明の実施例１を図１、図２、図３、図４を用いて説明する。図１は本発明の実施例１の縦断面図であり、図２は本発明の実施例１の外観図であり、図３は注射針６に装着し、シリンジ用キャップ１を外した状態の本発明の実施例１の縦断面図であり、図４はシリンジの断面図である。
【００２９】
図１、図３に示すように、実施例１の注射針用キャップ１７は、注射針入口部の反対側すなわち注射針用キャップ１７の先端部に、シリンジ用キャップ１をそのノズル係合面９から支持する構造すなわちシリンジ用キャップ装着部分１２を持つ。シリンジ用キャップ装着部分１２の外側面は一部もしくは全体がシリンジ２１のノズル１４の注射針係合面１０と相同な形状を持ち、これによりシリンジ用キャップをそのノズル係合面９から支持することができる。
【００３０】
シリンジ用キャップ１をこのようにノズル係合面９から支持することにより、使用直前までシリンジ用キャップ１のノズル係合面９は清潔に保たれる。
【００３１】
シリンジ用キャップ１のノズル係合面９は一部または全体が図４に示す注射器２１のノズル１４の注射針係合面１０と相同な形状を持ち、ノズル入口部の内縁１５から先端に向かってテーパー状に径が小さくなることにより、ノズル１４に装着した場合に密閉することのできる形状である。
【００３２】
注射針用キャップ１７の胴体部分５の先端の直径は、シリンジ用キャップ装着部分基部１３の直径よりも大きくすることにより、シリンジ用キャップ１を装着しない状態での注射針用キャップ１７を平面上に置いたときにシリンジ用キャップ装着部分１２が接地せず、清潔な状態を保つことができる。
【００３３】
注射針用キャップ１７の胴体部分５およびシリンジ用キャップ１の胴体部分２３の肉厚は操作の際に破損や著しい変形のない程度の強度が与えられるものでなければ特に制限はないが、０．２〜１．６ｍｍ、特に０．６〜１．２ｍｍであることが好ましい。
【００３４】
注射針用キャップ１７の軸と、シリンジ用キャップ装着部分１２の軸は必ずしも同一線上にある必要はない。
【００３５】
シリンジ用キャップ装着部分１２の先端は、孔を有しないことが望ましいが、孔を有していても発明の効果に大きな影響を及ぼさない。
【００３６】
注射針用キャップ１７の胴体部分５の内側１０は注射針６が通過可能な空間を有するものとする。
【００３７】
注射針用キャップ１７の胴体部分５の断面は円形状、楕円形状、多角形状などが考えられるが、形状は特に限定されない。
【００３８】
注射針用キャップ１７およびシリンジ用キャップ１の形成材料としてはポリエチレン、ポリプロピレン、ポリエチレンとポリプロピレンの混合物、環状ポリオレフィン等のポリオレフィン樹脂が好ましいが、ポリカーボネート、メタクリル樹脂、ポリメチルペンテン等、医療用材料としての使用実績がある樹脂であればいずれも採用可能である。
【００３９】
次いで本発明の実施例１の製造方法の一例について説明する。
【００４０】
注射針６にシリンジ用キャップ１を装着した状態の注射針用キャップ１７をかぶせ、ガンマ線滅菌、エチレンオキサイドガス滅菌、高圧蒸気滅菌、熱水シャワー滅菌等により滅菌する。場合によってはこの注射針用キャップをかぶせた注射針６を注射器２１にあらかじめ装着し、これをセットとして上記のごとく滅菌し、製品とすることもできる。その後、ピールカット包装、ブリスター包装、シュリンク包装等により包装する。なお滅菌前に包装しておき包装ごと滅菌してもよい。
【実施例２】
【００４１】
本発明の実施例２の注射針用キャップ１８を図５及び図６を用いて説明する。図５は本発明の実施例２の縦断面図であり、図６は本発明の実施例２の亜型の縦断面図である。実施例１と実施例２で異なるのはシリンジ用キャップ装着部分の構造である。
【００４２】
図５に示すように、実施例２の注射針用キャップ１８はシリンジ用キャップ２をそのノズル係合面の外側７から保持し装着する構造であることを特徴とする。この形状であってもシリンジ用キャップ２のノズル係合面２４は外気との交通を遮断されており、滅菌状態を保つことができる。
【００４３】
シリンジ用キャップ３の形状によっては、図６に示すようにシリンジ用キャップ３のシリンジ用キャップ把持部内側８を注射針用キャップ１９によって保持、装着する構造としても機能上に大きな差異をもたらすことはない。
【００４４】
シリンジ用キャップの装着方法以外の点については実施例１と同様である。
【実施例３】
【００４５】
本発明の実施例３の注射針用キャップ２０を図７を用いて説明する。図７は本発明の実施例３の縦断面図である。
【００４６】
図７に示すように、注射針用キャップ２０の先端にシリンジ用キャップ４を一体形成もしくは接着する。
【００４７】
このときに注射針用キャップ２０とシリンジ用キャップ４を使用時に容易に破断し分離することが可能となるようにする。
【００４８】
使用時に構造の一部を破断し、本体から一部分を分離する構造は既に市場に一般的に存在しており請求項に含まれないため、詳細は記述しない。
【００４９】
シリンジ用キャップと注射針用キャップ２０の接合部分１６は、破断した際の破断面のシリンジ用キャップ４の変形を考慮に入れ、ノズル入口部の内縁１５から０．０１〜１．５ｍｍ、特に０．１〜０．５ｍｍ程度外側であることが望ましい。
【００５０】
破断する際の操作性を向上させるため、シリンジ用キャップ４に羽又は延長部分を設けてもよい。
【００５１】
シリンジ用キャップの装着方法以外の点については実施例１と同様である。
【産業上の利用可能性】
【００５２】
患者に針を装着した状態の注射器を近づける機会を減らすことができ、これにより医療事故を起こす可能性を減らすことができる。
【図面の簡単な説明】
【００５３】
【図１】本発明の実施例１の縦断面図である。
【図２】本発明の実施例１の外観図である。
【図３】注射針に装着し、シリンジ用キャップを外した状態の本発明の実施例１の縦断面図である。
【図４】注射器の断面図である。
【図５】本発明の実施例２の縦断面図である。
【図６】本発明の実施例２の亜型の縦断面図である。
【図７】本発明の実施例３の縦断面図である。
【符号の説明】
【００５４】
１      シリンジ用キャップ
２      シリンジ用キャップ
３      シリンジ用キャップ
４      シリンジ用キャップ
５      胴体部分
６      注射針
７      ノズル係合面の外側
８      シリンジ用キャップ把持部内側
９      ノズル係合面
１０    注射針係合面
１１    注射針用キャップの胴体部分の内側
１２    シリンジ用キャップ装着部分
１３    シリンジ用キャップ装着部分基部
１４    ノズル
１５    ノズル入口部の内縁
１６    接合部分
１７    注射針用キャップ
１８    注射針用キャップ
１９    注射針用キャップ
２０    注射針用キャップ
２１    注射器
２２    押し子
２３    胴体部分
２４    ノズル係合面
【図１】
2008023145.tif 000003
【図２】
2008023145.tif 000004
【図３】
2008023145.tif 000005
【図４】
2008023145.tif 000006
【図５】
2008023145.tif 000007
【図６】
2008023145.tif 000008
【図７】
2008023145.tif 000009